(57)【要約】【課題】シートの外観におけるざらつき感（粒状性）を調節できるとともに、所与のざらつき感のシートを製造できるシート製造装置を提供する。【解決手段】繊維を含む原料を気中で解繊する解繊部と、添加物を供給する添加物供給部と、前記解繊部により解繊された解繊物と、前記添加物供給部により供給された添加物とを混合させる第１回転部を備えた混合部と、前記混合部により混合された混合物を堆積させる堆積部と、前記堆積部により堆積された堆積物をさせるメッシュベルトと前記堆積物を前記メッシュベルト側に吸引させるサクション機構を備えたウェブ形成部と、を含み、前記添加物供給部の単位時間あたりの供給量、前記混合部の第１回転部の回転速度及び前記サクション機構の吸引力の少なくとも何れかを制御して、前記シートの表面の粒状度を変える制御部と、を有するシート製造装置。【選択図】なし【特許請求の範囲】
【請求項１】
繊維を含む原料を気中で解繊する解繊部と、
添加物を供給する添加物供給部と、
前記解繊部により解繊された解繊物と、前記添加物供給部により供給された添加物とを混合させる第１回転部を備えた混合部と、
前記混合部により混合された混合物を堆積させる堆積部と、
前記堆積部により堆積された堆積物をさせるメッシュベルトと前記堆積物を前記メッシュベルト側に吸引させるサクション機構を備えたウェブ形成部と、を含み、
前記添加物供給部の単位時間あたりの供給量、前記混合部の第１回転部の回転速度及び前記サクション機構の吸引力の少なくとも何れかを制御して、前記シートの表面の粒状度を変える制御部と、
を有するシート製造装置。
【請求項２】
前記シートの表面の粒状度の設定を受け付ける受付部を有し、
前記制御部は、前記受付部が受け付けた前記設定に基づいて前記添加物供給部の単位時間あたりの供給量、前記混合部の第１回転部の回転数及び前記サクション機構の吸引力の少なくとも何れかを制御する、請求項１に記載のシート製造装置。
【請求項３】
前記堆積部は、前記混合物を開口を通過させて降下させるドラム部を有し、
前記制御部は、前記ドラム部の回転速度を変える、請求項１または２に記載のシート製造装置。
【請求項４】
前記解繊部は、前記原料を解繊する第２回転部を有し、
前記制御部は、前記第２回転部の回転速度を変える、請求項１〜３の何れか１項に記載のシート製造装置。
【請求項５】
前記サクション機構は、前記堆積物が堆積する堆積面に対して交差する方向の気流を発生させる第１気流発生部を有し、
前記制御部は、前記第１気流発生部によって発生される気流の流速を変える、請求項１〜４の何れか１項に記載のシート製造装置。
【請求項６】
前記堆積部により堆積された堆積物を搬送する搬送部を有し、
前記搬送部は、前記堆積物が堆積する堆積面に対して交差する方向の気流を発生させる第２気流発生部を有し、
前記制御部は、前記第２気流発生部によって発生される気流の流速を変える、請求項１〜５の何れか１項に記載のシート製造装置。
【請求項７】
前記添加物は色材を含む、請求項１〜６の何れか１項に記載のシート製造装置。
【請求項８】
繊維を含む原料を気中で解繊する解繊部と、
添加物を供給する添加物供給部と、
前記解繊部により解繊された解繊物と、前記添加物供給部により供給された添加物とを混合させる第１回転部を備えた混合部と、
前記混合部により混合された混合物を堆積させる堆積部と、
前記堆積部により堆積された堆積物をさせるメッシュベルトと前記堆積物を前記メッシュベルト側に吸引させるサクション機構を備えたウェブ形成部と、を含んでいるシート製造装置の制御方向であって、
前記添加物供給部の単位時間あたりの供給量、前記混合部の第１回転部の回転速度及び前記サクション機構の吸引力の少なくとも何れかを変化させて、前記シートの表面の粒状度を変える、シート製造装置の制御方法。
【請求項９】
繊維を含む原料を気中で解繊して解繊物を得る解繊工程と、
前記解繊物に添加物を供給する添加物供給工程と、
前記解繊物と、前記添加物とを第１回転部を用いて混合して混合物を得る混合工程と、
前記混合物をメッシュベルトへ吸引させながら堆積させて堆積物を得る堆積工程と、
を有し、
前記添加物供給部の単位時間あたりの供給量、前記混合部の第１回転部の回転速度及び前記メッシュベルトへの吸引力の少なくとも何れかを変化させて、前記シートの表面の粒状度を変える、シート製造方法。
【発明の詳細な説明】
【技術分野】
【０００１】
本発明は、シート製造装置、その制御方法及びシート製造方法に関する。
【背景技術】
【０００２】
繊維状の物質を堆積させ、堆積させた繊維の相互間に結合力を働かせてシート状あるいはフィルム状の成形体を得ることは古くから行われている。その典型例として、水を用いた抄造（抄紙）によって紙を製造することが挙げられる。現在においても紙を製造する方法の一つとして抄造法が広く用いられている。抄造法で製造される紙は、一般に例えば木材等に由来するセルロースの繊維が互いに絡み合って水素結合を形成し、さらにバインダー（紙力増強剤（デンプン糊、水溶性樹脂等））によって互いに部分的に結着されている構造を有するものが多い。
【０００３】
しかし抄造法は湿式であり、大量の水を使用する必要があり、また、紙が形成された後、脱水・乾燥等の必要が生じ、そのために費やすエネルギーや時間が非常に大きい。さらに、使用した水は排水として適切に処理する必要がある。また抄造法に用いる装置は、水、電力、排水設備等の大型のユーティリティーやインフラストラクチャーが必要となることが多く、小型化することは難しい。
【０００４】
そのため、省エネルギー、環境保護等の観点から、抄造法に代る紙の製造方法として、乾式法と称する水をほとんど用いない方法が期待されており、例えば、特許文献１には、乾式のプロセスで、紙等のシートを成形する装置が開示されている。
【先行技術文献】
【特許文献】
【０００５】
【特許文献１】特開２０１５−１６１０３５号公報
【発明の概要】
【発明が解決しようとする課題】
【０００６】
特許文献１に記載のシート製造装置は、分級部、混合部、堆積部、成形部等を有している。そして、引用文献１には、分級部、混合部、堆積部及び成形部の少なくとも１つの条件を変更することにより、製造されるシートの厚さや密度等の特性を変更することができる旨の記載がある。例えば、堆積部のドラム形状のふるいの回転速度を変更することにより、ふるいを通過する解繊物の繊維長を変えて、製造されるシートの強度や密度を変更することができる旨の記載がある。
【０００７】
しかしながら、種々のシートを製造できても、製造されるシートのざらつき感を所定の状態に制御することは困難であると考えられる。
【０００８】
本発明の幾つかの態様に係る目的の１つは、シートの外観におけるざらつき感（粒状性）を調節できるとともに、所与のざらつき感のシートを安定して製造できるシート製造装置、その制御方法又はシート製造方法を提供することにある。
【課題を解決するための手段】
【０００９】
本発明は上述の課題の少なくとも一部を解決するためになされたものであり、以下の態様又は適用例として実現することができる。
【００１０】
本発明に係るシート製造装置の一態様は、
繊維を含む原料を気中で解繊する解繊部と、
添加物を供給する添加物供給部と、
前記解繊部により解繊された解繊物と、前記添加物供給部により供給された添加物とを混合させる第１回転部を備えた混合部と、
前記混合部により混合された混合物を堆積させる堆積部と、
前記堆積部により堆積された堆積物をさせるメッシュベルトと前記堆積物を前記メッシュベルト側に吸引させるサクション機構を備えたウェブ形成部と、を含み、
前記添加物供給部の単位時間あたりの供給量、前記混合部の第１回転部の回転速度及び前記サクション機構の吸引力の少なくとも何れかを制御して、前記シートの表面の粒状度を変える制御部と、
を有する。
【００１１】
このようなシート製造装置によれば、シートの表面における粒状度（シートの外観におけるざらつき感）を調節できるとともに、所与のざらつき感のシートを製造することができる。
【００１２】
本発明に係るシート製造装置において、
前記シートの表面の粒状度の設定を受け付ける受付部を有し、
前記制御部は、前記受付部が受け付けた前記設定に基づいて前記添加物供給部の単位時間あたりの供給量、前記混合部の第１回転部の回転数及び前記サクション機構の吸引力の少なくとも何れかを制御してもよい。
【００１３】
このようなシート製造装置によれば、ユーザーがシートの表面における粒状度を受付部に設定することにより、当該粒状度を有するシートを、容易に製造することができる。
【００１４】
本発明に係るシート製造装置において、
前記堆積部は、前記混合物を開口を通過させて降下させるドラム部を有し、
前記制御部は、前記ドラム部の回転速度を変えてもよい。
【００１５】
このようなシート製造装置によれば、添加物が色材を含む場合に、製造されるシートの表面の粒状度を容易に変化させることができる。
【００１６】
本発明に係るシート製造装置において、
前記解繊部は、前記原料を解繊するための第２回転部を有し、
前記制御部は、前記第２回転部の回転速度を変えてもよい。
【００１７】
このようなシート製造装置によれば、製造されるシートの表面の粒状度を容易に変化させることができる。
【００１８】
本発明に係るシート製造装置において、
前記サクション機構は、前記堆積物が堆積する堆積面に対して交差する方向の気流を発生させる第１気流発生部を有し、
前記制御部は、前記第１気流発生部によって発生される気流の流速を変えるもよい。
【００１９】
このようなシート製造装置によれば、製造されるシートの表面の粒状度を容易に変化させることができる。
【００２０】
本発明に係るシート製造装置において、
前記堆積部により堆積された堆積物を搬送する搬送部を有し、
前記搬送部は、前記堆積物が堆積する堆積面に対して交差する方向の気流を発生させる第２気流発生部を有し、
前記制御部は、前記第２気流発生部によって発生される気流の流速を変えてもよい。
【００２１】
このようなシート製造装置によれば、製造されるシートの表面の粒状度を容易に変化させることができる。
【００２２】
本発明に係るシート製造装置において、
前記添加物は色材を含んでもよい。
【００２３】
このようなシート製造装置によれば、製造されるシートを着色しつつ表面の粒状度を容易に変化させることができる。
【００２４】
本発明に係るシート製造装置の制御方法の一態様は、
繊維を含む原料を気中で解繊する解繊部と、
添加物を供給する添加物供給部と、
前記解繊部により解繊された解繊物と、前記添加物供給部により供給された添加物とを混合させる第１回転部を備えた混合部と、
前記混合部により混合された混合物を堆積させる堆積部と、
前記堆積部により堆積された堆積物をさせるメッシュベルトと前記堆積物を前記メッシュベルト側に吸引させるサクション機構を備えたウェブ形成部と、を含んでいるシート製造装置の制御方向であって、
前記添加物供給部の単位時間あたりの供給量、前記混合部の第１回転部の回転速度及び前記サクション機構の吸引力の少なくとも何れかを変化させて、前記シートの表面の粒状度を変える。
【００２５】
このようなシート製造装置の制御方法によれば、シートの表面における粒状度（シートの外観におけるざらつき感）を調節できるとともに、所望のざらつき感のシートを製造することができる。
【００２６】
本発明に係るシート製造方法の一態様は、
繊維を含む原料を気中で解繊して解繊物を得る解繊工程と、
前記解繊物に添加物を供給する添加物供給工程と、
前記解繊物と、前記添加物とを第１回転部を用いて混合して混合物を得る混合工程と、
前記混合物をメッシュベルトへ吸引させながら堆積させて堆積物を得る堆積工程と、
を有し、
前記添加物供給部の単位時間あたりの供給量、前記混合部の第１回転部の回転速度及び前記メッシュベルトへの吸引力の少なくとも何れかを変化させて、前記シートの表面の粒状度を変える。
【００２７】
このようなシート製造方法によれば、シートの表面における粒状度（シートの外観におけるざらつき感）を調節できるとともに、所望のざらつき感のシートを製造できる。
【図面の簡単な説明】
【００２８】
【図１】実施形態に係るシート製造装置の構成を示す模式図。
【図２】シート製造装置の機能ブロック図。
【図３】ユーザーインターフェースの一例を示す図。
【発明を実施するための形態】
【００２９】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００３０】
１．シート製造装置の概要
図１は、実施形態に係るシート製造装置１００の構成を示す模式図である。
【００３１】
本実施形態に記載のシート製造装置１００は、例えば、原料としての機密紙などの使用済みの古紙を乾式で解繊して繊維化した後、加圧、加熱、切断することによって、新しい紙を製造するのに好適な装置である。繊維化された原料に、さまざまな添加物を混合することによって、用途に合わせて、紙製品の結合強度や白色度を向上したり、色、香り、難燃などの機能を付加したりしてもよい。また、紙の密度や厚さ、形状をコントロールして成形することで、Ａ４やＡ３のオフィス用紙、名刺用紙など、用途に合わせて、さまざまな厚さ・サイズの紙を製造することができる。
【００３２】
シート製造装置１００は、供給部１０、粗砕部１２、解繊部２０、選別部４０、第１ウェブ形成部４５、回転体４９、混合部５０、堆積部６０、第２ウェブ形成部７０、搬送部７９、シート形成部８０、切断部９０、及び、制御部１１０を備える。
【００３３】
また、シート製造装置１００は、原料に対する加湿、及び／又は原料が移動する空間を加湿する目的で、加湿部２０２、２０４、２０６、２０８、２１０、２１２を備える。
【００３４】
これら加湿部２０２、２０４、２０６、２０８、２１０、２１２の具体的な構成は任意であり、スチーム式、気化式、温風気化式、超音波式等が挙げられる。
【００３５】
本実施形態では、加湿部２０２、２０４、２０６、２０８を、気化式又は温風気化式の加湿器で構成する。すなわち、加湿部２０２、２０４、２０６、２０８は、水を浸潤させるフィルター（図示略）を有し、フィルターに空気を通過させることにより、湿度を高めた加湿空気を供給する。また、加湿部２０２、２０４、２０６、２０８は、加湿空気の湿度を効果的に高めるヒーター（図示略）を備えてもよい。
【００３６】
また、本実施形態では、加湿部２１０及び加湿部２１２を、超音波式加湿器で構成する。すなわち、加湿部２１０、２１２は、水を霧化する振動部（図示略）を有し、振動部により発生するミストを供給する。
【００３７】
供給部１０は、粗砕部１２に原料を供給する。シート製造装置１００がシートを製造する原料は繊維を含むものであればよく、例えば、紙、パルプ、パルプシート、不織布を含む布、或いは織物等が挙げられる。本実施形態ではシート製造装置１００が古紙を原料とする構成を例示する。供給部１０は、例えば、古紙を重ねて蓄積するスタッカーと、スタッカーから古紙を粗砕部１２に送り出す自動投入装置とを備える構成とすることができる。
【００３８】
粗砕部１２は、供給部１０によって供給された原料を粗砕刃１４によって裁断（粗砕）して、粗砕片にする。粗砕刃１４は、大気中（空気中）等の気中で原料を裁断する。粗砕部１２は、例えば、原料を挟んで裁断する一対の粗砕刃１４と、粗砕刃１４を回転させる駆動部とを備え、いわゆるシュレッダーと同様の構成とすることができる。粗砕片の形状や大きさは任意であり、解繊部２０における解繊処理に適していればよい。粗砕部１２は、原料を、例えば１〜数ｃｍ四方又はそれ以下のサイズの紙片に裁断する。
【００３９】
粗砕部１２は、粗砕刃１４により裁断されて落下する粗砕片を受けるシュート（ホッパー）９を有する。シュート９は、例えば、粗砕片が流れる方向（進行する方向）において、徐々に幅が狭くなるテーパー形状を有する。そのため、シュート９は、多くの粗砕片を受けとめることができる。シュート９には、解繊部２０に連通する管２が連結され、管２は粗砕刃１４によって裁断された原料（粗砕片）を、解繊部２０に搬送させるための搬送路を形成する。粗砕片はシュート９により集められ、管２を通って解繊部２０に移送（搬送）される。粗砕片は、例えばブロアー（図示略）が発生する気流により、管２中を解繊部２０に向けて搬送される。
【００４０】
粗砕部１２が有するシュート９、或いはシュート９の近傍には、加湿部２０２により加湿空気が供給される。これにより、粗砕刃１４により裁断された粗砕物が、静電気によってシュート９や管２の内面に吸着する現象を抑制できる。また、粗砕刃１４が裁断した粗砕物は、加湿された（高湿度の）空気とともに解繊部２０に移送されるので、解繊部２０の内部における解繊物の付着を抑制する効果も期待できる。また、加湿部２０２は、粗砕刃１４に加湿空気を供給して、供給部１０が供給する原料を除電する構成としてもよい。
【００４１】
また、加湿部２０２とともにイオナイザーを用いて除電してもよい。
【００４２】
解繊部２０は、粗砕部１２で裁断された粗砕物を解繊する。より具体的には、解繊部２０は、粗砕部１２によって裁断された原料（粗砕片）を解繊処理し、解繊物を生成する。
【００４３】
ここで、「解繊する」とは、複数の繊維が結着されてなる原料（被解繊物）を、繊維１本１本に解きほぐすことをいう。解繊部２０は、原料に付着した樹脂粒やインク、トナー、にじみ防止剤等の物質を、繊維から分離させる機能をも有する。
【００４４】
解繊部２０を通過したものを「解繊物」という。「解繊物」には、解きほぐされた解繊物繊維の他に、繊維を解きほぐす際に繊維から分離した樹脂（複数の繊維同士を結着させるための樹脂）粒や、インク、トナーなどの色材や、にじみ防止剤、紙力増強剤等の添加剤を含んでいる場合もある。解きほぐされた解繊物の形状は、ひも（ｓｔｒｉｎｇ）状や平ひも（ｒｉｂｂｏｎ）状である。解きほぐされた解繊物は、他の解きほぐされた繊維と絡み合っていない状態（独立した状態）で存在してもよいし、他の解きほぐされた解繊物と絡み合って塊状となった状態（いわゆる「ダマ」を形成している状態）で存在してもよい。
【００４５】
解繊部２０は、乾式で解繊を行う。ここで、液体中ではなく、大気中（空気中）等の気中において、解繊等の処理を行うことを乾式と称する。本実施形態では、解繊部２０がインペラーミルを用いる構成とする。具体的には、解繊部２０は、高速回転するローター（図示略）、及び、ローターの外周に位置するライナー（図示略）を備える。粗砕部１２で裁断された粗砕片は、解繊部２０のローターとライナーとの間に挟まれて解繊される。解繊部２０は、ローターの回転により気流を発生させる。この気流により、解繊部２０は、原料である粗砕片を管２から吸引し、解繊物を排出口２４へと搬送できる。解繊物は排出口２４から管３に送り出され、管３を介して選別部４０に移送される。
【００４６】
このように、解繊部２０で生成される解繊物は、解繊部２０が発生する気流により解繊部２０から選別部４０に搬送される。さらに、本実施形態では、シート製造装置１００が気流発生装置である解繊部ブロアー２６を備え、解繊部ブロアー２６が発生する気流により解繊物が選別部４０に搬送される。解繊部ブロアー２６は管３に取り付けられ、解繊部２０から解繊物とともに空気を吸引し、選別部４０に送風する。
【００４７】
選別部４０は、管３から解繊部２０により解繊された解繊物が気流とともに流入する導入口４２を有する。選別部４０は、導入口４２に導入する解繊物を、繊維の長さによって選別する。詳細には、選別部４０は、解繊部２０により解繊された解繊物のうち、予め定められたサイズ以下の解繊物を第１選別物とし、第１選別物より大きい解繊物を第２選別物として、選別する。第１選別物は繊維又は粒子等を含み、第２選別物は、例えば、大きい繊維、未解繊片（十分に解繊されていない粗砕片）、解繊された繊維が凝集し、或いは絡まったダマ等を含む。
【００４８】
本実施形態で、選別部４０は、ドラム部（篩部）４１と、ドラム部４１を収容するハウジング部（覆い部）４３と、を有する。
【００４９】
ドラム部４１は、モーターによって回転駆動される円筒の篩である。ドラム部４１は、網（フィルター、スクリーン）を有し、篩（ふるい）として機能する。この網の目により、ドラム部４１は、網の目開き（開口）の大きさより小さい第１選別物と、網の目開きより大きい第２選別物とを選別する。ドラム部４１の網としては、例えば、金網、切れ目が入った金属板を引き延ばしたエキスパンドメタル、金属板にプレス機等で穴を形成したパンチングメタルを用いることができる。
【００５０】
導入口４２に導入された解繊物は気流とともにドラム部４１の内部に送り込まれ、ドラム部４１の回転によって第１選別物がドラム部４１の網の目から下方に落下する。ドラム部４１の網の目を通過できない第２選別物は、導入口４２からドラム部４１に流入する気流により流されて排出口４４に導かれ、管８に送り出される。
【００５１】
管８は、ドラム部４１の内部と管２とを連結する。管８を通って流される第２選別物は、粗砕部１２により裁断された粗砕片とともに管２を流れ、解繊部２０の導入口２２に導かれる。これにより、第２選別物は解繊部２０に戻されて、解繊処理される。
【００５２】
また、ドラム部４１により選別される第１選別物は、ドラム部４１の網の目を通って空気中に分散し、ドラム部４１の下方に位置する第１ウェブ形成部４５のメッシュベルト４６に向けて降下する。
【００５３】
第１ウェブ形成部４５（分離部）は、メッシュベルト４６（分離ベルト）と、ローラー４７と、吸引部（サクション機構）４８と、を含む。メッシュベルト４６は環状のベルト（無端形状のベルト）であって、３つのローラー４７に懸架され、ローラー４７の動きにより、図中矢印で示す方向に搬送される。メッシュベルト４６の表面は所定サイズの開口が並ぶ網で構成される。選別部４０から降下する第１選別物のうち、網の目を通過するサイズの微粒子はメッシュベルト４６の下方に落下し、網の目を通過できないサイズの繊維がメッシュベルト４６に堆積し、メッシュベルト４６とともに矢印方向に搬送される。メッシュベルト４６から落下する微粒子は、解繊物の中で比較的小さいものや密度の低いもの（樹脂粒や色材や添加剤など）を含み、シート製造装置１００がシートＳの製造に使用しない除去物である。
【００５４】
メッシュベルト４６は、シートＳを製造する通常動作中には、一定の速度Ｖ１で移動する。ここで、通常動作中とは、後述するシート製造装置１００の始動制御、及び、停止制御の実行中を除く動作中であり、より詳細には、シート製造装置１００が望ましい品質のシートＳを製造している間を指す。
【００５５】
従って、解繊部２０で解繊処理された解繊物は、選別部４０で第１選別物と第２選別物とに選別され、第２選別物が解繊部２０に戻される。また、第１選別物から、第１ウェブ形成部４５によって除去物が除かれる。第１選別物のいうち除去物以外は、シートＳの製造に適した材料であり、この材料はメッシュベルト４６に堆積して第１ウェブＷ１を形成する。解繊物から第２選別物を分離し、第１選別物から除去物を分離するという点では、第１ウェブ形成部は選別部４０の一部とみなすことができる。
【００５６】
吸引部４８は、メッシュベルト４６の下方から空気を吸引する。吸引部４８は、管２３を介して集塵部２７に連結される。集塵部２７はフィルター式或いはサイクロン式の集塵装置であり、微粒子を気流から分離する。集塵部２７の下流には捕集ブロアー２８が設置され、捕集ブロアー２８は、集塵部２７から空気を吸引する集塵用吸引部として機能する。また、捕集ブロアー２８が排出する空気は管２９を経てシート製造装置１００の外に排出される。
【００５７】
この構成では、捕集ブロアー２８により、集塵部２７を通じて吸引部４８から空気が吸引される。吸引部４８では、メッシュベルト４６の網の目を通過する微粒子が、空気とともに吸引され、管２３を通って集塵部２７に送られる。集塵部２７は、メッシュベルト４６を通過した微粒子を気流から分離して蓄積する。
【００５８】
従って、メッシュベルト４６の上には第１選別物から除去物を除去した繊維が堆積して第１ウェブＷ１が形成される。捕集ブロアー２８が吸引を行うことで、メッシュベルト４６上における第１ウェブＷ１の形成が促進され、かつ、除去物が速やかに除去される。
【００５９】
ドラム部４１を含む空間には、加湿部２０４により加湿空気が供給される。この加湿空気によって、選別部４０の内部で第１選別物を加湿する。これにより、静電力による第１選別物のメッシュベルト４６への付着を弱め、第１選別物をメッシュベルト４６から剥離し易くすることができる。さらに、静電力により第１選別物が回転体４９やハウジング部４３の内壁に付着することを抑制することができる。また、吸引部４８によって除去物を効率よく吸引できる。
【００６０】
なお、シート製造装置１００において、第１解繊物と第２解繊物とを選別し、分離する構成は、ドラム部４１を備える選別部４０に限定されない。例えば、解繊部２０で解繊処理された解繊物を、分級機によって分級する構成を採用してもよい。分級機としては、例えば、サイクロン分級機、エルボージェット分級機、エディクラシファイヤーを用いることができる。これらの分級機を用いれば、第１選別物と第２選別物とを選別し、分離することが可能である。さらに、上記の分級機により、解繊物の中で比較的小さいものや密度の低いもの（樹脂粒や色材や添加剤など）を含む除去物を、分離して除去する構成を実現できる。例えば、第１選別物に含まれる微粒子を、分級機によって、第１選別物から除去する構成としてもよい。この場合、第２選別物は、例えば解繊部２０に戻され、除去物は集塵部２７により集塵され、除去物を除く第１選別物が管５４に送られる構成とすることができる。
【００６１】
メッシュベルト４６の搬送経路において、選別部４０の下流側には、加湿部２１０によって、ミストを含む空気が供給される。加湿部２１０が生成する水の微粒子であるミストは、第１ウェブＷ１に向けて降下し、第１ウェブＷ１に水分を供給する。これにより、第１ウェブＷ１が含む水分量が調整され、静電気によるメッシュベルト４６への繊維の吸着等を抑制できる。
【００６２】
シート製造装置１００は、メッシュベルト４６に堆積した第１ウェブＷ１を分断する回転体４９を備える。第１ウェブＷ１は、メッシュベルト４６がローラー４７により折り返す位置で、メッシュベルト４６から剥離して、回転体４９により分断される。
【００６３】
第１ウェブＷ１は繊維が堆積してウェブ形状となった柔らかい材料であり、回転体４９は、第１ウェブＷ１の繊維をほぐして、後述する混合部５０で樹脂を混合しやすい状態に加工する。
【００６４】
回転体４９の構成は任意であるが、本実施形態では、板状の羽根を有し回転する回転羽形状とすることができる。回転体４９は、メッシュベルト４６から剥離する第１ウェブＷ１と羽根とが接触する位置に配置される。回転体４９の回転（例えば図中矢印Ｒで示す方向への回転）により、メッシュベルト４６から剥離して搬送される第１ウェブＷ１に羽根が衝突して分断し、細分体Ｐを生成する。
【００６５】
なお、回転体４９は、回転体４９の羽根がメッシュベルト４６に衝突しない位置に設置されることが好ましい。例えば、回転体４９の羽根の先端とメッシュベルト４６との間隔を、０．０５ｍｍ以上０．５ｍｍ以下とすることができ、この場合、回転体４９によって、メッシュベルト４６に損傷を与えることなく第１ウェブＷ１を効率よく分断できる。
【００６６】
回転体４９によって分断された細分体Ｐは、管７の内部を下降して、管７の内部を流れる気流によって混合部５０へ移送（搬送）される。
【００６７】
また、回転体４９を含む空間には、加湿部２０６により加湿空気が供給される。これにより、管７の内部や、回転体４９の羽根に対し、静電気により繊維が吸着する現象を抑制できる。また、管７を通って、湿度の高い空気が混合部５０に供給されるので、混合部５０においても静電気による影響を抑制できる。
【００６８】
混合部５０は、樹脂を含む添加物を供給する添加物供給部５２、管７に連通し、細分体Ｐを含む気流が流れる管５４、及び、混合ブロアー５６を備える。
【００６９】
細分体Ｐは、上述のように選別部４０を通過した第１選別物から除去物を除去した繊維である。混合部５０は、細分体Ｐを構成する繊維に、樹脂を含む添加物を混合する。
【００７０】
混合部５０では、混合ブロアー５６によって気流を発生させ、管５４中において、細分体Ｐと添加物とを混合させながら、搬送する。また、細分体Ｐは、管７及び管５４の内部を流れる過程でほぐされて、より細かい繊維状となる。
【００７１】
添加物供給部５２（樹脂収容部）は、添加物を蓄積する添加物カートリッジ（図示略）に接続され、添加物カートリッジ内部の添加物を管５４に供給する。添加物カートリッジは、添加物供給部５２に着脱可能な構成であってもよい。また、添加物カートリッジに添加物を補充する構成を備えてもよい。添加物供給部５２は、添加物カートリッジ内部の微粉又は微粒子からなる添加物をいったん貯留する。添加物供給部５２は、いったん貯留した添加物を管５４に送る排出部５２ａ（樹脂供給部）を有する。
【００７２】
排出部５２ａは、添加物供給部５２に貯留された添加物を管５４に送出するフィーダー（図示略）、及び、フィーダーと管５４とを接続する管路を開閉するシャッター（図示略）を備える。このシャッターを閉じると、排出部５２ａと管５４とを連結する管路或いは開口が閉鎖され、添加物供給部５２から管５４への添加物の供給が絶たれる。
【００７３】
排出部５２ａのフィーダーが動作していない状態では、排出部５２ａから管５４に添加物が供給されないが、管５４内に負圧が発生した場合等には、排出部５２ａのフィーダーが停止していても添加物が管５４に流れる可能性がある。排出部５２ａを閉じることにより、このような添加物の流れを確実に遮断できる。
【００７４】
添加物供給部５２が供給する添加物は、複数の繊維を結着させるための樹脂を含む。添加物に含まれる樹脂は、熱可塑性樹脂や熱硬化性樹脂であり、例えば、ＡＳ樹脂、ＡＢＳ樹脂、ポリプロピレン、ポリエチレン、ポリ塩化ビニル、ポリスチレン、アクリル樹脂、ポリエステル樹脂、ポリエチレンテレフタレート、ポリフェニレンエーテル、ポリブチレンテレフタレート、ナイロン、ポリアミド、ポリカーボネート、ポリアセタール、ポリフェニレンサルファイド、ポリエーテルエーテルケトン、などである。これらの樹脂は、単独又は適宜混合して用いてもよい。すなわち、添加物は、単一の物質を含んでもよいし、混合物であってもよく、それぞれ単一又は複数の物質で構成される、複数種類の粒子を含んでもよい。また、添加物は、繊維状であってもよく、粉末状であってもよい。
【００７５】
添加物に含まれる樹脂は、加熱により溶融して複数の繊維同士を結着させる。従って、樹脂を繊維と混合させた状態で、樹脂が溶融する温度まで加熱されていない状態では、繊維同士は結着されない。
【００７６】
また、添加物供給部５２が供給する添加物は、繊維を結着させる樹脂の他、製造されるシートの種類に応じて、繊維を着色するための着色剤や、繊維の凝集や樹脂の凝集を抑制するための凝集抑制剤、繊維等を燃えにくくするための難燃剤を含んでもよい。また、着色剤を含まない添加物は、無色、或いは無色と見なせる程度に薄い色であってもよいし、白色であってもよい。
【００７７】
混合ブロアー５６が発生する気流により、管７を降下する細分体Ｐ、及び、添加物供給部５２により供給される添加物は、管５４の内部に吸引され、混合ブロアー５６内部を通過する。混合ブロアー５６が発生する気流及び／又は混合ブロアー５６が有する羽根等の回転部の作用により、細分体Ｐを構成した繊維と添加物とが混合され、この混合物（第１選別物と添加物との混合物）は管５４を通って堆積部６０に移送される。
【００７８】
なお、第１選別物と添加物とを混合させる機構は、特に限定されず、高速回転する羽根により攪拌するものであってもよいし、Ｖ型ミキサーのように容器の回転を利用するものであってもよく、これらの機構を混合ブロアー５６の前又は後に設置してもよい。
【００７９】
堆積部６０は、解繊部２０で解繊された解繊物を堆積させる。より具体的には、堆積部６０は、混合部５０を通過した混合物を導入口６２から導入し、絡み合った解繊物（繊維）をほぐして、空気中で分散させながら降らせる。さらに、堆積部６０は、添加物供給部５２から供給される添加物の樹脂が繊維状である場合、絡み合った樹脂をほぐす。これにより、堆積部６０は、第２ウェブ形成部７０に、混合物を均一性よく堆積させることができる。
【００８０】
堆積部６０は、ドラム部６１と、ドラム部６１を収容するハウジング部（覆い部）６３と、を有する。ドラム部６１は、モーターによって回転駆動される円筒の篩である。ドラム部６１は、網（フィルター、スクリーン）を有し、篩（ふるい）として機能する。この網の目により、ドラム部６１は、網の目開き（開口）のより小さい繊維や粒子を通過させ、ドラム部６１から下降させる。ドラム部６１の構成は、例えば、ドラム部４１の構成と同じである。
【００８１】
なお、ドラム部６１の「篩」は、特定の対象物を選別する機能を有していなくてもよい。すなわち、ドラム部６１として用いられる「篩」とは、網を備えたもの、という意味であり、ドラム部６１は、ドラム部６１に導入された混合物の全てを降らしてもよい。
【００８２】
ドラム部６１の下方には第２ウェブ形成部７０が配置される。第２ウェブ形成部７０は、堆積部６０を通過した通過物を堆積して、第２ウェブＷ２を形成する。第２ウェブ形成部７０は、例えば、メッシュベルト７２と、ローラー７４と、サクション機構７６と、を有する。
【００８３】
メッシュベルト７２は無端形状のベルトであって、複数のローラー７４に懸架され、ローラー７４の動きにより、図中矢印で示す方向に搬送される。メッシュベルト７２は、例えば、金属製、樹脂製、布製、或いは不織布等である。メッシュベルト７２の表面は所定サイズの開口が並ぶ網で構成される。ドラム部６１から降下する繊維や粒子のうち、網の目を通過するサイズの微粒子はメッシュベルト７２の下方に落下し、網の目を通過できないサイズの繊維がメッシュベルト７２に堆積し、メッシュベルト７２とともに矢印方向に搬送される。メッシュベルト７２は、シートＳを製造する通常動作中には、一定の速度Ｖ２で移動する。通常動作中とは、上述した通りである。
【００８４】
メッシュベルト７２の網の目は微細であり、ドラム部６１から降下する繊維や粒子の大半を通過させないサイズとすることができる。
【００８５】
サクション機構７６は、メッシュベルト７２の下方（堆積部６０側とは反対側）に設けられる。サクション機構７６は、サクションブロアー７７を備え、サクションブロアー７７の吸引力によって、サクション機構７６に下方に向く気流（堆積部６０からメッシュベルト７２に向く気流）を発生させることができる。
【００８６】
サクション機構７６によって、堆積部６０により空気中に分散された混合物をメッシュベルト７２上に吸引する。これにより、メッシュベルト７２上における第２ウェブＷ２の形成を促進し、堆積部６０からの排出速度を大きくすることができる。さらに、サクション機構７６によって、混合物の落下経路にダウンフローを形成することができ、落下中に解繊物や添加物が絡み合うことを防ぐことができる。
【００８７】
サクションブロアー７７（堆積吸引部）は、サクション機構７６から吸引した空気を、捕集フィルター（図示略）を通じて、シート製造装置１００の外に排出してもよい。或いは、サクションブロアー７７が吸引した空気を集塵部２７に送り込み、サクション機構７６が吸引した空気に含まれる除去物を捕集してもよい。
【００８８】
ドラム部６１を含む空間には、加湿部２０８により加湿空気が供給される。この加湿空気によって、堆積部６０の内部を加湿することができ、静電力によるハウジング部６３への繊維や粒子の付着を抑え、繊維や粒子をメッシュベルト７２に速やかに降下させ、好ましい形状の第２ウェブＷ２を形成させることができる。
【００８９】
以上のように、堆積部６０及び第２ウェブ形成部７０（ウェブ形成工程）を経ることにより、空気を多く含み柔らかくふくらんだ状態の第２ウェブＷ２が形成される。メッシュベルト７２に堆積された第２ウェブＷ２は、シート形成部８０へと搬送される。
【００９０】
メッシュベルト７２の搬送経路において、堆積部６０の下流側には、加湿部２１２によって、ミストを含む空気が供給される。これにより、加湿部２１２が生成するミストが第２ウェブＷ２に供給され、第２ウェブＷ２が含む水分量が調整される。これにより、静電気によるメッシュベルト７２への繊維の吸着等を抑制できる。
【００９１】
シート製造装置１００は、メッシュベルト７２上の第２ウェブＷ２を、シート形成部８０に搬送する搬送部７９が設けられる。搬送部７９は、例えば、メッシュベルト７９ａと、ローラー７９ｂと、サクション機構７９ｃと、を有する。
【００９２】
サクション機構７９ｃは、ブロアー（図示略）を備え、ブロアーの吸引力によってメッシュベルト７９ａに上向きの気流を発生させる。この気流は第２ウェブＷ２を吸引し、第２ウェブＷ２は、メッシュベルト７２から離れてメッシュベルト７９ａに吸着される。メッシュベルト７９ａは、ローラー７９ｂの自転により移動し、第２ウェブＷ２をシート形成部８０に搬送する。メッシュベルト７２の移動速度と、メッシュベルト７９ａの移動速度とは、例えば、同じである。
【００９３】
このように、搬送部７９は、メッシュベルト７２に形成された第２ウェブＷ２を、メッシュベルト７２から剥がして搬送する。
【００９４】
シート形成部８０は、堆積部６０で堆積させた堆積物からシートＳを形成する。より具体的には、シート形成部８０は、メッシュベルト７２に堆積し搬送部７９により搬送された第２ウェブＷ２（堆積物）を、加圧加熱してシートＳを成形する。シート形成部８０では、第２ウェブＷ２が含む解繊物の繊維及び添加物に対して熱を加えることにより、混合物中の複数の繊維を、互いに添加物（樹脂）を介して結着させる。
【００９５】
シート形成部８０は、第２ウェブＷ２を加圧する加圧部８２、及び、加圧部８２により加圧された第２ウェブＷ２を加熱する加熱部８４を備える。
【００９６】
加圧部８２は、一対のカレンダーローラー８５で構成され、第２ウェブＷ２を所定のニップ圧で挟んで加圧する。第２ウェブＷ２は、加圧されることによりその厚さが小さくなり、第２ウェブＷ２の密度が高められる。一対のカレンダーローラー８５の一方は、モーター（図示略）により駆動される駆動ローラーであり、他方は従動ローラーである。カレンダーローラー８５は、モーターの駆動力により回転して、加圧により高密度になった第２ウェブＷ２を、加熱部８４に向けて搬送する。
【００９７】
加熱部８４は、例えば、加熱ローラー（ヒーターローラー）、熱プレス成形機、ホットプレート、温風ブロアー、赤外線加熱器、フラッシュ定着器を用いて構成できる。本実施形態では、加熱部８４は、一対の加熱ローラー８６を備える。加熱ローラー８６は、内部又は外部に設置されるヒーターによって、予め設定された温度に加温される。加熱ローラー８６は、カレンダーローラー８５によって加圧された第２ウェブＷ２を挟んで熱を与え、シートＳを形成する。
【００９８】
一対の加熱ローラー８６の一方は、モーター（図示略）により駆動される駆動ローラーであり、他方は従動ローラーである。加熱ローラー８６は、モーターの駆動力により回転して、加熱したシートＳを、切断部９０に向けて搬送する。
【００９９】
このように、堆積部６０で形成された第２ウェブＷ２は、シート形成部８０で加圧及び加熱されて、シートＳとなる。
【０１００】
なお、加圧部８２が備えるカレンダーローラー８５の数、及び、加熱部８４が備える加熱ローラー８６の数は、特に限定されない。
【０１０１】
切断部９０は、シート形成部８０によって成形されたシートＳを切断する。本実施形態では、切断部９０は、シートＳの搬送方向と交差する方向にシートＳを切断する第１切断部９２と、搬送方向に平行な方向にシートＳを切断する第２切断部９４と、を有する。第２切断部９４は、例えば、第１切断部９２を通過したシートＳを切断する。
【０１０２】
以上により、所定のサイズの単票のシートＳが成形される。切断された単票のシートＳは、排出部９６へと排出される。排出部９６は、所定サイズのシートＳを載せるトレイ或いはスタッカーを備える。
【０１０３】
上記構成において、加湿部２０２、２０４、２０６、２０８を１台の気化式加湿器で構成してもよい。この場合、１台の加湿器が生成する加湿空気が、粗砕部１２、ハウジング部４３、管７、及びハウジング部６３に分岐して供給される構成とすればよい。この構成は、加湿空気を供給するダクト（図示略）を分岐して設置することにより、容易に実現できる。また、２台或いは３台の気化式加湿器によって加湿部２０２、２０４、２０６、２０８を構成することも勿論可能である。
【０１０４】
また、上記構成において、加湿部２１０、２１２を１台の超音波式加湿器で構成してもよいし、２台の超音波式加湿器で構成してもよい。例えば、１台の加湿器が生成するミストを含む空気が、加湿部２１０、及び加湿部２１２に分岐して供給される構成とすることができる。
【０１０５】
また、上記構成では、最初に粗砕部１２が原料を粗砕し、粗砕された原料からシートＳを製造するものとしたが、例えば、原料として繊維を用いてシートＳを製造する構成とすることも可能である。
【０１０６】
例えば、解繊部２０が解繊処理した解繊物と同等の繊維を原料として、ドラム部４１に投入可能な構成であってもよい。また、解繊物から分離された第１選別物と同等の繊維を原料として、管５４に投入可能な構成とすればよい。この場合、古紙やパルプ等を加工した繊維をシート製造装置１００に供給することで、シートＳを製造できる。
【０１０７】
２．シートの表面の粒状度
本明細書では、シートの表面の粒状度とは、シートの表面のＲＭＳ粒状度（ｒｏｏｔ  ｍｅａｎ  ｓｑｕａｒｅ）のことを指す。ＲＭＳ粒状度は、統計的な確率により求めた粒状性であり、粒状性を客観的に示す指標である。色材粒子の局在やドット形状は、空間的にはランダムな場合が多く、これを肉眼で見るとざらついた印象（ざらつき感）を与える。このようなざらつきは、一般には、粒状と呼ばれ、粒状の主観的な評価値は、粒状性（ｇｒａｉｎｉｎｅｓｓ）、客観的な評価値は、粒状度（ｇｒａｎｕｌａｒｉｔｙ）と呼ばれている。
【０１０８】
ＲＭＳ粒状度は、濃度Ｄiの分布の標準偏差であり、記号σで表される。ＲＭＳ粒状度の測定条件は、一般にはＡＮＳＩ  ＰＨ−２．４０−１９８５に規定されているが、本実施形態では、シートの対象となる表面を、１２００ｄｐｉの解像度のスキャナーで読み取った各ドットの光学濃度の値に基づいて、下記式によって算出して求められる。下記式中、Ｎは、データ数（ドット数）、Ｄiは個々のドットの濃度値、Ｄaveは、濃度の平均値である。
【０１０９】
【数１】
2018145584.tif 000002
【０１１０】
上記式は形式上、標準偏差の式そのものであり、ＲＭＳ粒状度（σ）に単位はない。また、標準偏差は、平均値に対して値がどの程度変動するのかを示すものであり、平均値±１σ（σ＝ＲＭＳ）の範囲内に、約６８％のデータが含まれることを意味する。また、ＲＭＳ粒状度（σ）の値が大きいほど、変動が大きいことを示すので、主観的な粒状性は大きくなり、ざらつき感は大きくなる。
【０１１１】
本実施形態のシート製造装置で、添加物が、繊維と繊維とを結着させる樹脂を含み、色材を含む場合において、製造するシートＳの表面の粒状度を変化させる要因の一つは、添加物のウェブにおける分散性（付着の分布）である。また、本実施形態のシート製造装置で、原料がトナー等の色材を含む古紙である場合において、製造するシートＳの表面の粒状度を変化させる要因の一つは、トナー等の色材の粉砕度合い及び第２ウェブＷ２における分散性である。
【０１１２】
添加物に含まれる樹脂と、繊維とは、堆積部６０において第２ウェブＷ２が形成される際に、静電気力で付着しているが、樹脂（添加物粒子）が、繊維と隣接する配置でないと外力が加わった時に繊維から脱離しやすい。したがって、第２ウェブＷ２における添加物やトナー（両者を含めて着色粉ともいう）の分散性の調節は、着色粉の粒子径、第２ウェブＷ２における着色粉の分散性、第２ウェブＷ２に加えられる外力の大きさ、などを制御することで可能であり、最終的に製造されるシートＳの表面の粒状度を調整することができる。
【０１１３】
トナー等の色材を含む原料の典型としては、原料がインキ、トナー、インク等の色材で白色紙に印刷された古紙である。白色紙の再生は通常、色材の残留物が少なく、白色度が高い方が好まれるが、脱墨工程（上記の例では選別部４０が行う工程）を経ても色材成分が残ってしまうことがある。一方、白色度が低くても、新聞紙のように色材の分散性がきわめて高く、文字の解読に影響しなければ問題ない場合もある。さらに印刷用紙としてではなく、紙のデザインや風合いとして粒状性の高い紙が名刺や便箋、製本時の背表紙などに好まれる場合もある。残留する色材の分散性及びカラー顔料を含まない添加物（結合樹脂）及び白色顔料を含んだ添加物（結合樹脂）の分散性を制御することで白色紙の質感を所望の粒状度に調整することができる。
【０１１４】
３．シート製造装置の機能
図２に、シート製造装置１００の機能ブロック図を示す。シート製造装置１００は、制御部１１０を含み、制御部１１０は、受付部１１２と、表示部１１４とを含む。
【０１１５】
受付部１１２（操作部）は、ユーザーの入力を受け付けるための機器であり、入力情報を制御部１１０に出力する。受付部１１２の機能は、キーボード、マウス、ボタン、タッチパネル等の入力機器により実現できる。また、受付部１１２は、コンピューター等の外部装置からの指示情報を入力するインターフェースにより実現できる。受付部１１２は、シート製造装置１００で製造するシートＳの、少なくとも、原料の形態（印刷古紙、パルプ等の種類）、及び、ざらつき感（粒状度）を指示する設定（入力）を受け付ける。
【０１１６】
表示部１１４（出力部の一例）は、制御部１１０で生成された画像を出力するものであり、ＬＣＤ或いはＣＲＴなどのディスプレイ、タッチパネル等により実現できる。タッチパネルを用いる場合には、表示部１１４は、受付部１１２と同じであってもよい。
【０１１７】
制御部１１０は、少なくとも入力情報（設定）及びプログラムに基づいて、シート製造装置１００の解繊部２０、添加物供給部５２、混合部５０、堆積部６０、搬送部７９等を制御する。制御部１１０の機能はプロセッサー（ＣＰＵ）、記憶部（ＲＯＭ、ＲＡＭ）などのハードウェアや、プログラムにより実現できる。
【０１１８】
制御部１１０は、受付部１１２で入力された情報に基づいて、制御信号を生成して、解繊部２０、添加物供給部５２、混合部５０、堆積部６０、搬送部７９の動作（各部に含まれる回転体の回転速度等）を制御する。また、制御部１１０は、各部の稼働率を算出して、これを制御してもよい。稼働率は、単に各部の稼働時間であってもよく、この場合制御部１１０は稼働時間をカウントする。また、稼働率は、各部に含まれる回転体（スクリュー、ドラム、ブロアー等）の回転数（回転回数）、回転速度、モーターの駆動信号（駆動パルス数）等に基づく値であってもよい。
【０１１９】
制御部１１０は、記憶部（不図示）を有してもよく、記憶部には、例えば、制御部１１０が制御する各構成の状態と、製造するシートＳのざらつき感（粒状性）とを結びつけるテーブルが記憶されていてもよい。また、制御部１１０の記憶部には、例えば、印刷物の古紙を原料とする場合のトナーの種類等と、制御部１１０が制御する各構成の状態とを結びつけるテーブルが記憶されていてもよい。制御部１１０による各構成の制御は、このようなテーブルを参照して行われてもよい。
【０１２０】
４．解繊部、添加物供給部、混合部、堆積部及び搬送部の制御
本実施形態のシート製造装置の制御では、解繊部２０、添加物供給部５２、混合部５０、堆積部６０及び搬送部７９の少なくとも何れかを変化させて、製造されるシートＳの表面の粒状度（ざらつき感）を変えることができる。ここで、解繊部２０、添加物供給部５２、混合部５０、堆積部６０及び搬送部７９のそれぞれについての具体的な制御について順次説明する。なお、本実施形態のシート製造装置１００は、搬送部７９を有しているが、搬送部７９は、必須の構成ではなく、必要に応じて設けられる。したがって、シート製造装置に搬送部７９がない場合には、本実施形態のシート製造装置の制御は、解繊部２０、添加物供給部５２、混合部５０及び堆積部６０の少なくとも何れかを変化させて、製造されるシートＳの表面の粒状度（ざらつき感）を変えることができる。
【０１２１】
４．１．解繊部
解繊部２０は、粗砕部１２によって裁断された原料（粗砕片）を解繊処理し、解繊物を生成する。本実施形態では、解繊部２０は、高速回転するローター（図示略）、及び、ローターの外周に位置するライナー（図示略）を備える。係るローターは、回転部（本明細書では、解繊部２０に存在する回転部を「第２回転部」ということがある。なお、後述の混合部５０に存在する回転部（より具体的には、混合ブロアー５６の回転する羽根）を「第１回転部」ということがある。）であり、その回転速度が制御部１１０によって制御される。
【０１２２】
原料がトナー等の色材を含む古紙である場合には、解繊部２０によって解繊された解繊物には、解繊された繊維や、トナー等が含まれる。係るトナー等は、解繊部２０によって、粉砕され、繊維から剥がされ、あるいは、繊維に付着した状態で粉砕される作用を受ける。係る作用の程度（強度）は、第２回転部の回転速度によって変えることができる。
【０１２３】
したがって、制御部１１０が、第２回転部の回転速度を高めるような制御を行うと、解繊部２０を通過したトナー等の着色粒子の粒子径が小さくなる傾向がある。また、これにより、原料に含まれる着色粒子に起因したシートＳの表面の粒状度は小さくなる、すなわち、ざらつき感は、抑制される傾向となる。また、逆に制御部１１０が、第２回転部の回転速度を低下させるような制御を行うと、解繊部２０を通過したトナー等の着色粒子の粒子径が大きくなる傾向があり、原料に含まれる着色粒子に起因したシートＳの表面の粒状度は大きくなる、すなわち、ざらつき感が高まる傾向となる。
【０１２４】
なお、解繊部２０の第２回転部の回転速度を大きくすると、解繊物や着色粒子の寸法は小さくなる傾向があるので、後続する選別部４０において、集塵部２７に捕集される除去物が多くなることがある。そのため、解繊部２０の第２回転部の回転速度の上限は、選別部４０における除去物の多寡と、得られるシートＳの表面の粒状度とのバランスを考慮して適宜に設定される。
【０１２５】
４．２．添加物供給部
添加物供給部５２は、添加物を管５４に供給する。添加物供給部５２は、添加物を管５４に送る排出部５２ａ（樹脂供給部）を有する。排出部５２ａは、添加物供給部５２に貯留された添加物を管５４に送出するフィーダー（粉体供給機）を備えている。フィーダーは、一般的な構成を制限なく採用することができるが、管５４への添加物の供給量を、制御部１１０からの信号に応じて自在に変更できるような構成とすることが好ましい。そのようなフィーダーとしては、スクリュー式のフィーダー、プレート（円盤）式のフィーダー、振動式のフィーダーなどが挙げられる。さらに、シャッター等を備えたフィーダーであっても、制御部１１０からの信号により、シャッターの開度を変更できるような構成であれば採用することができる。
【０１２６】
添加物供給部５２にこれらのフィーダーを採用することにより、添加物の単位時間当たりの供給量を、制御部１１０からの信号に応じて自在に変更できる。具体例としては、添加物供給部５２に、スクリュー式のフィーダーを採用した場合には、制御部１１０は、スクリューの回転数を制御して、単位時間当たりに管５４に供給する添加物の供給量を変えることができる。
【０１２７】
制御部１１０が、添加物供給部５２からの添加物の単位時間当たりの供給量を大きくするような制御を行うと、第２ウェブＷ２やシートＳにおける添加物の含有量が高まる傾向となり、逆に制御部１１０が、添加物供給部５２からの添加物の単位時間当たりの供給量を小さくするような制御を行うと、第２ウェブＷ２やシートＳにおける添加物の含有量が低下する傾向となる。
【０１２８】
そして、制御部１１０が、添加物供給部５２からの添加物の単位時間当たりの供給量を変動させることにより、添加物に色材が含まれる場合に、シートＳの表面の粒状度を変えることができる。添加物供給部５２からの添加物の単位時間当たりの供給量の変動の態様は、特に限定されないが、添加物供給部５２の単位時間当たりの添加物の供給量を、時間軸に対してグラフ化した場合に、グラフが正弦波、矩形波、三角波、あるいはそれらを任意に組み合わせた形状となるような態様を例示することができる。
【０１２９】
単位時間当たりの添加物の供給量の変動の幅（上記グラフが正弦波（サインカーブ）である場合には振幅に相当）は、変動させない場合の値（中央値）を１００とした場合に、８０〜１２０、好ましくは８５〜１１５、すなわち、平均値（１００％）から±２０％、好ましくは±１５％程度である。
【０１３０】
また、単位時間当たりの添加物の供給量の変動の周期（上記グラフが正弦波（サインカーブ）である場合の周期に相当）は、１〜２０秒、好ましくは２〜１５秒、より好ましくは３〜１０秒、すなわち、単位時間当たりの添加物の供給量の変動の周波数は、０．０５〜１Ｈｚ、好ましくは０．０６７〜０．５Ｈｚ、より好ましくは０．１〜０．３３３Ｈｚ程度である。
【０１３１】
添加物が色材を含有する場合に、添加物供給部５２から供給される添加物の単位時間当たりの供給量を変動させると、当該変動の幅、周期に依存して、シートＳの表面の粒状度（ざらつき感）を変えることができる。添加物供給部５２で供給される添加物は、シート製造装置１００において、少なくとも混合部５０、堆積部６０を経てシートＳとなるため、添加物供給部５２から供給される添加物の単位時間当たりの供給量の変動と、シートＳの表面の粒状度の変化とは、必ずしも単純には相関しない。そのため、添加物供給部５２から供給される添加物の単位時間当たりの供給量を変動させることは、ざらつき感を変化させるための一手段であり、所与のシートＳの表面の粒状度（ざらつき感）を得るために、その他の構成の運転条件の調節を組み合わせて、変動の幅や周期を調節することが好ましい。
【０１３２】
４．３．混合部
混合部５０は、添加物及び細分体Ｐとを混合して搬送する混合ブロアー５６を備える。混合ブロアー５６が発生する気流により、管７を降下する細分体Ｐ、及び、添加物供給部５２により供給される添加物は、管５４の内部に吸引され、混合ブロアー５６内部を通過する。混合ブロアー５６が発生する気流及び／又は混合ブロアー５６が有する羽根等の回転部（第１回転部）の作用により、細分体Ｐを構成した繊維と添加物とが混合され、この混合物（第１選別物と添加物との混合物）は管５４を通って堆積部６０に移送される。
【０１３３】
原料がトナー等の色材を含む古紙である場合には、細分体Ｐには、解繊された繊維や、トナー等が含まれるので、制御部１１０が、第１回転部の回転速度を高めるような制御を行うと、第２ウェブＷ２におけるトナー等の着色粒子の分散性が良くなり、シートＳにおけるざらつき感は抑制される傾向となる。また逆に、この場合、制御部１１０が、第１回転部の回転速度を下げるような制御を行うと、第２ウェブＷ２におけるトナー等の着色粒子の分散が抑えられ、シートＳにおけるざらつき感は増す傾向となる。このような傾向は、添加物に色材が含まれる場合においても、第２ウェブＷ２及びシートＳにおける添加物の分散及びざらつき感について同様の傾向となる。すなわち、シートＳの表面の粒状度は、第１回転部の回転速度によって変えることができる。
【０１３４】
４．４．堆積部
堆積部６０は、混合部５０を通過した混合物を導入口６２から導入し、絡み合った解繊物（繊維）をほぐして、空気中で分散させながら降らせる。堆積部６０は、ドラム部６１と、ドラム部６１を収容するハウジング部（覆い部）６３と、を有する。ドラム部６１は、モーターによって回転駆動される円筒の篩である。ドラム部６１の下方には第２ウェブ形成部７０が配置され、第２ウェブ形成部７０では、堆積部６０を通過した通過物が堆積され、第２ウェブＷ２が形成される。
【０１３５】
ドラム部６１の回転速度は、制御部１１０によって制御することができる。混合部５０を通過した混合物は、細分体Ｐを構成した繊維と、添加物とを含んでいる。また、原料がトナー等の色材を含む場合には、混合物には、係る残留した（選別部４０で除去していない）色材も含まれている。
【０１３６】
したがって、制御部１１０が、ドラム部６１の回転速度を高めるような制御を行うと、ドラム部６１の篩を通過する混合物の分散が強化され、色材がより均一に配置された第２ウェブＷ２が形成され、シートＳのざらつき感が抑制される傾向となる。また、逆に、制御部１１０が、ドラム部６１の回転速度を低下させるような制御を行うと、ドラム部６１の篩を通過する混合物の分散が弱まり、色材の分散が平面的に偏って配置された第２ウェブＷ２が形成され、シートＳのざらつき感が高まる傾向となる。すなわち、シートＳの表面の粒状度は、ドラム部６１の回転速度によって変えることができる。
【０１３７】
４．５．第２ウェブ形成部
上述のように、第２ウェブ形成部７０は、メッシュベルト７２と、ローラー７４と、サクション機構７６と、を有しているが、第２ウェブＷ２（堆積物）をメッシュベルト７２上に形成するという点では、堆積部６０の一部とみなすことができる。
【０１３８】
メッシュベルト７２の表面（堆積面）は所定サイズの開口が並ぶ網で構成され、その網の目は微細であり、ドラム部６１から降下する繊維や粒子の大半を通過させないサイズとすることができるようになっている。そして、サクション機構７６は、メッシュベルト７２の下方に設けられている。
【０１３９】
上記の例では、サクション機構７６は、第２ウェブＷ２（堆積物）が堆積した堆積面に対してほぼ垂直な方向の気流を発生させているが、サクション機構７６の機能を考慮すると、サクション機構７６によって発生される気流は、第２ウェブＷ２（堆積物）が堆積した堆積面に対して交差する方向であればよいことは理解されよう。
【０１４０】
サクション機構７６は、サクションブロアー７７を備え、サクションブロアー７７の吸引力によって、第２ウェブＷ２（堆積物）が堆積した堆積面に対して交差する方向の気流を発生させることができる。サクション機構７６は、気流発生部（第１気流発生部）ということができる。
【０１４１】
サクションブロアー７７の吸引力（回転羽根の回転速度）は、制御部１１０によって制御することができる。これにより、制御部１１０は、第２ウェブＷ２（堆積物）が堆積した堆積面に対して交差する方向の気流の流速を変えることができる。
【０１４２】
堆積物（第２ウェブＷ２）は、繊維と添加物とを含んでいる、また、原料がトナー等の色材を含む場合には、堆積物には、係る色材も含まれている。堆積物を厚さ方向に気流が流れると、堆積物中の相対的に寸法の小さい粒子が、気流と共に移動しやすく、気流の流速が大きくなるとその傾向が強くなる。堆積物中に存在する繊維は、その細長い形状により、添加物等の粒子よりも移動速度は小さい。また、添加物等の粒子の中でも、繊維に付着しているものは、孤立している粒子よりも気流による移動を生じにくい。このようなことから、気流が通過することによって、堆積物（第２ウェブＷ２）の上面から下面に向かって、相対的に寸法の小さい粒子が移動して上面側における粒子の存在数が少なくなるとともに、下面側では相対的に寸法の小さい粒子が脱離して下面側における粒子の存在数が少なくなる。
【０１４３】
したがって、制御部１１０が、気流の流速を高めるような制御を行うと、第２ウェブＷ２の上面側及び下面側における相対的に寸法の小さい粒子の存在数がより少なくなる。また、逆に、制御部１１０が、気流の流速を弱めるような制御を行うと、第２ウェブＷ２の上面側及び下面側における相対的に寸法の小さい粒子の存在数がより多くなる。
【０１４４】
よって、相対的に寸法の小さい粒子が、色材を含む場合には、制御部１１０が、気流の流速を高めると、シートＳの表面の粒状度（ざらつき感）は、強まる傾向となり、気流の流速を弱めると、シートＳの表面の粒状度（ざらつき感）は、弱まる傾向となる。すなわち、堆積部６０の気流発生部の制御により、第２ウェブＷ２（堆積物）が堆積した堆積面に対して交差する方向の気流の流速を変えることによって、シートＳの表面の粒状度を変えることができる。
【０１４５】
４．６．搬送部
堆積部６０及び第２ウェブ形成部７０（ウェブ形成工程）を経ることにより、空気を多く含み柔らかくふくらんだ状態の第２ウェブＷ２が形成される。シート製造装置１００は、メッシュベルト７２上の第２ウェブＷ２を、シート形成部８０に向けて搬送する搬送部７９が設けられる。搬送部７９は、例えば、メッシュベルト７９ａと、ローラー７９ｂと、サクション機構７９ｃと、を有する。なお、本実施形態のシート製造装置１００は、搬送部７９を有しているが、搬送部７９は、必須の構成ではなく、必要に応じて設けられる。
【０１４６】
サクション機構７９ｃは、ブロアー（図示略）を備え、ブロアーの吸引力によってメッシュベルト７９ａに上向きの気流を発生させる。この気流は第２ウェブＷ２を吸引し、第２ウェブＷ２は、メッシュベルト７２から離れてメッシュベルト７９ａに吸着される。
【０１４７】
上記の例では、サクション機構７９ｃは、第２ウェブＷ２（堆積物）が堆積した堆積面に対してほぼ垂直な方向の気流を発生させているが、サクション機構７９ｃの機能を考慮すると、サクション機構７９ｃによって発生される気流は、第２ウェブＷ２（堆積物）が堆積した堆積面に対して交差する方向であればよいことは理解されよう。
また、上記の例では、サクション機構７９ｃは、第２ウェブＷ２（堆積物）が吸着した吸着面（第２ウェブＷ２と接触するメッシュベルト７９ａの表面（接触面））に対してほぼ垂直な方向の気流を発生させているが、サクション機構７９ｃの機能を考慮すると、サクション機構７９ｃによって発生される気流は、第２ウェブＷ２（堆積物）が吸着した吸着面に対して交差する方向であればよいことは理解されよう。
【０１４８】
サクション機構７９ｃは、ブロアーを備え、ブロアーの吸引力によって、第２ウェブＷ２（堆積物）が堆積した堆積面に対して交差する方向の気流を発生させることができる。サクション機構７９ｃは、気流発生部（第２気流発生部）ということができる。
【０１４９】
ブロアーの吸引力（回転羽根の回転速度）は、制御部１１０によって制御することができる。これにより、制御部１１０は、第２ウェブＷ２（堆積物）が堆積した堆積面に対して交差する方向の気流の流速を変えることができる。
【０１５０】
堆積物（第２ウェブＷ２）は、繊維と添加物とを含んでいる、また、原料がトナー等の色材を含む場合には、堆積物には、係る色材も含まれている。堆積物を厚さ方向に気流が流れると、堆積物中の相対的に寸法の小さい粒子が、気流と共に移動しやすく、気流の流速が大きくなるとその傾向が強くなる。堆積物中に存在する繊維は、その細長い形状により、添加物等の粒子よりも移動速度は小さい。また、添加物等の粒子の中でも、繊維に付着しているものは、孤立している粒子よりも気流による移動を生じにくい。このようなことから、気流が通過することによって、堆積物（第２ウェブＷ２）の下面から上面に向かって、相対的に寸法の小さい粒子が移動して下面側における粒子の存在数が少なくなるとともに、上面側では相対的に寸法の小さい粒子が脱離して上面側における粒子の存在数が少なくなる。
【０１５１】
したがって、制御部１１０が、気流の流速を高めるような制御を行うと、第２ウェブＷ２の上面側及び下面側における相対的に寸法の小さい粒子の存在数がより少なくなる。また、逆に、制御部１１０が、気流の流速を弱めるような制御を行うと、第２ウェブＷ２の上面側及び下面側における相対的に寸法の小さい粒子の存在数がより多くなる。
【０１５２】
よって、相対的に寸法の小さい粒子が、色材を含む場合には、制御部１１０が、気流の流速を高めると、シートＳの表面の粒状度（ざらつき感）は、強まる傾向となり、気流の流速を弱めると、シートＳの表面の粒状度（ざらつき感）は、弱まる傾向となる。すなわち、搬送部７９の気流発生部の制御により、第２ウェブＷ２（堆積物）が堆積した堆積面に対して交差する方向の気流の流速を変えることによって、シートＳの表面の粒状度を変えることができる。
【０１５３】
５．受付部
シート製造装置１００は、受付部１１２を有してもよい。受付部１１２は、シートＳの表面の粒状度（ざらつき感）の設定を受け付ける。シートＳの表面の粒状度（ざらつき感）の設定はユーザーが行うことができるが、テーブル等を参照することにより設定されてもよい。
【０１５４】
図３は、受付部１１２（表示部１１４）に表示される表示画面ＤＩ（ユーザーインターフェース）の一例を示す図である。図３の例では、表示画面ＤＩには、シート製造装置１００に供給される原料（古紙等）の種類の選択を設定するメニューと、製造されるシートＳの表面の粒状度（ざらつき感）を設定するメニューとが表示されている。また、ざらつき感の選択メニューには、製造されるシートＳの目視による外観が想像できるような模式図が表示されている。なお、図３における目視外観は、感覚的にユーザーにわかりやすいような模式図であり、実際に製造されるシートＳのざらつき感とは異なる。
【０１５５】
また、図示のように、表示画面ＤＩには、シート製造装置１００の各種のステータスや、ユーザーに対する通知やアラームなどが、メッセージとして表示されてもよい。
【０１５６】
ユーザーは、表示画面ＤＩにおいて、操作部（受付部１１２）を用いて選択メニューを操作することで、製造されるシートＳの表面の粒状性（ざらつき感）を選択（指示）する入力を行うことができる。
【０１５７】
また、図３に示す例では、ユーザーは、表示画面ＤＩにおいて、製造開始ボタンを操作することでシートＳの製造を開始する入力を行うことができ、停止ボタンを操作することでシートＳの製造を停止する入力を行うことができるようになっている。
【０１５８】
図３の例では、原料の種類として古紙を選択し、シートＳの表面の粒状度は、８つの選択肢のうち下段左から２つめのボタンが選択された状態を示している。この例では、ざらつき感の設定画面で感覚的な選択肢を挙げているが、例えば、ＲＭＳ粒状度の値を表示して、これをユーザーが選択するような設計としてもよい。
【０１５９】
６．作用効果
本実施形態のシート製造装置１００によれば、シートＳの表面における粒状度（シートＳの外観におけるざらつき感）を調節できるとともに、所望のざらつき感のシートＳを製造する場合に、短時間で当該シートＳを安定して製造できる状態とすることができる。すなわち、解繊部２０、添加物供給部５２、混合部５０、堆積部６０及び搬送部７９の少なくとも何れかを制御することで、シートＳの表面における粒状度を調節でき、各構成が乾式で行われることで、装置が小型化できるので、各構成の条件を変更した場合に、シートＳ（製品）への当該変更の反映が速く、所与の粒状度を有するシートを安定して製造する状態に短時間で到達しやすい。
【０１６０】
また、本実施形態のシート製造装置１００では、特定のざらつき感のシートを一定数製造した後に、原料及び装置の機械的な構成を変更することなく、ざらつき感の異なるシートを容易に製造することができ、その際の移行時間も短時間とすることができる。
【０１６１】
７．シート製造方法
繊維を含む原料を気中で解繊して解繊物を得る解繊工程と、解繊物に添加物を供給する添加物供給工程と、解繊物と、添加物とを混合して混合物を得る混合工程と、混合物を堆積させて堆積物を得る堆積工程と、堆積部により堆積された堆積物を加熱加圧してシートを形成するシート形成工程と、を有する。そして、解繊工程、添加物供給工程、混合工程、堆積工程及び搬送工程の少なくとも何れかの産物の状態を変化させて、シートの表面の粒状度を変える。
【０１６２】
解繊工程は、上述の解繊部２０によって行うことができ、第２回転部の回転速度を変えることにより、印刷された古紙を原料とした場合の解繊工程の産物である解繊物に含まれるトナー等の色材粒子の粒子径を変化させることができる。
【０１６３】
添加物供給工程は、上述の添加物供給部５２によって行うことができ、供給する添加物の単位時間当たりの供給量を変えることにより、添加物供給工程の産物である添加物及び解繊物の混合物に含まれるトナー等の色材粒子及び／又は添加物の存在量、又は、それらの存在比率を変化させることができる。
【０１６４】
混合工程は、上述の混合部５０によって行うことができ、第１回転部の回転速度を変えることにより、混合工程の産物である混合物に含まれるトナー等の色材粒子及び／又は添加物の分散性を変化させることができる。
【０１６５】
堆積工程は、上述の堆積部６０によって行うことができ、ドラム部６１の回転速度を変えることにより、混合工程の産物である堆積物（第２ウェブＷ２）に含まれるトナー等の色材粒子及び／又は添加物の分散性を変化させることができる。
【０１６６】
堆積工程では、第２ウェブＷ２（堆積物）が堆積した堆積面に対して交差する方向の気流の流速を変えることにより、第２ウェブＷ２の上面側及び下面側における色材の存在量を変えることができる。
【０１６７】
本実施形態のシート製造方法は、堆積工程で堆積された堆積物を搬送する搬送工程を有してもよい。搬送工程では、第２ウェブＷ２（堆積物）が堆積した堆積面に対して交差する方向の気流の流速を変えることにより、第２ウェブＷ２の上面側及び下面側における色材の存在量を変えることができる。
【０１６８】
本実施形態のシート製造方法では、このようにして解繊工程、添加物供給工程、混合工程、堆積工程及び搬送工程の少なくとも何れかの産物の状態を変化させることができ、これにより、シートＳの表面の粒状度を変えることができる。
【０１６９】
８．実施例及び比較例
以下、実施例及び比較例を挙げて本発明をさらに詳細に説明するが、本発明は、その趣旨を逸脱しない限り種々の変更は可能であり、下記の実施例によって何ら限定されるものではない。
【０１７０】
図１に示したようなシート製造装置により、以下の表１に示す条件で各構成を動作させて、実施例及び比較例のシートを製造した。各実施例のシートにおける繊維に対する添加物の質量割合は、１５質量％とした。実施例１〜５では、色材としてシアン顔料を含む添加物を使用し、実施例６〜９では、色材として白色顔料を含む添加物を使用した。比較例のシートにおける繊維に対する添加物の質量割合は、１５質量％としたが、そのうち、色材としてシアン顔料を含むものを５０質量％とし、顔料を含まないものを５０質量％とした。また、原料として、日本製紙社製Ｎ１００（ＰＰＣ用紙）を用い、実施例１〜５及び比較例１では、印刷されていない紙（未印字紙）を使用し、実施例６〜９では、セイコーエプソン社製レーザープリンターＬＰ−Ｓ９０００で印刷された紙（印字紙）を使用した。
また、ＲＭＳ粒状度は、各例のシートの表面を、１２００ｄｐｉの解像度のスキャナーで読み取った各ドットの光学濃度の値に基づいて、上述の式によって算出して求め、その値を表１に併記した。
【０１７１】
【表１】
2018145584.tif 000003
【０１７２】
実施例１のシートのざらつき感は目視でも少なく、ＲＭＳ粒状度でも小さかった。一方、表１に示すように条件を変更した実施例２〜５のシートのざらつき感は、実施例１よりも多くなり、ＲＭＳ粒状度も大きくなった。
【０１７３】
また、実施例２では、添加物供給部５２のスクリューの回転数を１秒ごとに変化させて添加物の供給速度に脈動を持たせた。その結果、添加物の供給のばらつきが大きくなり、繊維と樹脂（添加物）との混合性が低下し、シートにおいても樹脂の分布の均一性が低下して、ざらつき感が高まったものと考えられる。
【０１７４】
また実施例３のように、混合部５０による混合性が低い場合には、繊維と添加物との静電付着が弱くなるためと思われるが、堆積部６０及び搬送部７９のサクション機構による風によって添加物が第２ウェブＷ２中を厚さ方向に移動しやすく、また第２ウェブＷ２から脱離しやすいと考えられ、ＲＭＳ粒状度は高まる結果であった。
【０１７５】
実施例４は、ドラム部６１の回転数を大きくしたため、材料が篩われるときに繊維と樹脂が分離しやすく、ドラム部６１の回転風によりさらに分離されることで部分的に樹脂が脱離するものと思われ、これにより、添加物の分布の均一性が若干良くなって、ざらつき感が小さくなったと考えられる。
【０１７６】
実施例５では、サクション機構（第１気流発生部及び第２気流発生部）による風速を増加しており、吸引する側の表面付近の繊維との結合力の弱い添加物が、繊維から選択的に脱離したと考えられ、これにより、吸引する側の面のＲＭＳ粒状度が増加したと考えられる。このように第２ウェブＷ２の両面側から吸引する工程の風速を高めると、シートの両面のＲＭＳ粒状度を変えることができることがわかった。なお、それぞれの面側からの吸引条件を、変化させることで、一方の面と反対面とにおけるシートのＲＭＳ粒状度を変えることができることも理解できる。
【０１７７】
以上のように繊維から部分的に添加物が脱離することでシート面における局所的な添加物の存在割合を変えることができ、シートの表面の粒状度を、容易に変化させることができることが分かった。このように色紙のざらつき感を変えることで色紙の用途ごとに質感を変えることができた。
【０１７８】
実施例６〜９では、印刷された古紙を原料とし、選別部４０によって分離回収されず、残留したトナー等の色材の粒子径及び分散性、並びに添加物の分散性が、シートのＲＭＳ粒状度に与える効果を調べた。
【０１７９】
実施例９のシートのざらつき感は目視でも少なく、ＲＭＳ粒状度でも小さかった。一方、表１に示すように条件を変更した実施例６〜８のシートのざらつき感は、実施例９よりも多くなり、ＲＭＳ粒状度も大きくなった。
【０１８０】
実施例６では、解繊部２０の第２回転部の回転速度を通常の３０００ｒｐｍから２０００ｒｐｍに低下させ、原料紙の繊維の解繊状態及び残留トナーの粉砕状態を粗くした。さらに混合部５０の第１回転部の回転速度を、通常の５０００ｒｐｍから３０００ｒｐｍへと低下させることで、添加剤がより分散しにくい状態にした。その結果、ＲＭＳ粒状度が０．０７８と実施例中で最もざらつき感の高いシートが得られた。
【０１８１】
実施例７では、解繊部２０の第２回転部の回転速度を通常の３０００ｒｐｍから２０００ｒｐｍに低下させ、原料紙の繊維の解繊状態及び残留トナーの粉砕状態を粗くした。実施例８では、混合部５０の第１回転部の回転速度を、通常の５０００ｒｐｍから３０００ｒｐｍへと低下させ添加剤がより分散しにくい状態にした。実施例７、８をみると、解繊部２０による粉砕度合いを高めるとざらつき感が抑制され、混合部５０による分散性を高めると、ざらつき感が抑制されることが判明した。
【０１８２】
上記各実施例に比較して、比較例１のシートでは、実施例１とほぼ同じＲＭＳ粒状度となっている。すなわち、シート製造装置の各構成の運転条件を変えずに、添加物の配合を変化させただけでは、製造されるシートの表面の粒状度は、大きく変化しないことが判明した。
【０１８３】
本発明は、本願に記載の特徴や効果を有する範囲で一部の構成を省略したり、各実施形態や変形例を組み合わせたりしてもよい。また本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１８４】
２…管、３…管、７…管、８…管、９…シュート、１０…供給部、１２…粗砕部、１４…粗砕刃、２０…解繊部、２２…導入口、２３…管、２４…排出口、２６…解繊部ブロアー、２７…集塵部、２８…捕集ブロアー、２９…管、４０…選別部、４１…ドラム部、４２…導入口、４３…ハウジング部、４４…排出口、４５…第１ウェブ形成部、４６…メッシュベルト、４７…ローラー、４８…吸引部、４９…回転体、５０…混合部、５２…添加物供給部、５２ａ…排出部、５４…管、５６…混合ブロアー、６０…堆積部、６１…ドラム部、６２…導入口、６３…ハウジング部、７０…第２ウェブ形成部、７２…メッシュベルト、７４…ローラー、７６…サクション機構、７７…サクションブロアー、７９…搬送部、７９ａ…メッシュベルト、７９ｂ…ローラー、７９ｃ…サクション機構、８０…シート形成部、８２…加圧部、８４…加熱部、８５…カレンダーローラー、８６…加熱ローラー、９０…切断部、９２…第１切断部、９４…第２切断部、９６…排出部、１００…シート製造装置、１１０…制御部、１１２…受付部、１１４…表示部、２０２…加湿部、２０４…加湿部、２０６…加湿部、２０８…加湿部、２１０…加湿部、２１２…加湿部、Ｗ１…第１ウェブ、Ｐ…細分体、Ｖ１…速度、Ｖ２…速度、Ｗ２…第２ウェブ、Ｓ…シート、ＤＩ…表示画面
【図１】
2018145584.tif 000004
【図２】
2018145584.tif 000005
【図３】
2018145584.tif 000006